(57)【要約】【課題】画像の投影中に記録媒体が取り出されても、画像の投影が継続される電子機器を提供する。【解決手段】装着部１０９ａからメモリカード１１０が抜き出されたことを示す信号をメモリカードインタフェース１０９から受信すると、プロジェクタ部３０のＶＲＡＭ３０６ａに記憶されている画像を継続して液晶パネル３０２で表示するよう、制御回路５０がプロジェクタ部３０を制御するように構成した。【選択図】図３
2008250138.tif 000002
【特許請求の範囲】
【請求項１】
被写体像を撮像する撮像手段と、
画像を投影する投影手段と、
記録媒体を着脱可能に保持して、前記記録媒体に記録された画像のデータを読み込む画像データ読込手段と、
前記投影手段で投影される画像について制御する投影画像制御手段とを備え、
前記投影画像制御手段は、前記投影手段から画像を投影しているときに前記記録媒体が前記画像データ読込手段から離脱したと判断すると、前記記録媒体が前記画像データ読込手段から離脱したと判断するまで前記投影手段が投影していた画像を継続して投影するよう前記投影手段を制御することを特徴とする電子機器。
【請求項２】
請求項1に記載の電子機器において、
前記投影手段から投影する画像のデータを一時的に記憶する画像データ一時記憶手段をさらに備え、
前記投影画像制御手段は、前記投影手段から画像を投影しているときに前記記録媒体が前記画像データ読込手段から離脱したと判断すると、前記画像データ一時記憶手段から画像のデータを読み込んで、読み込んだ画像のデータに基づいて画像を投影するよう前記投影手段を制御することを特徴とする電子機器。
【請求項３】
被写体像を撮像する撮像手段と、
画像を投影する投影手段と、
記録媒体を着脱可能に保持して、前記記録媒体に記録された画像のデータを読み込む画像データ読込手段と、
前記画像データ読込手段に着脱される前記記録媒体の装着部分を覆う開閉可能な蓋部と、
前記蓋部近傍に設けられて、前記記録媒体に対するデータアクセス状態を光によって報知する発光手段と、
前記発光手段の発光状態を制御する発光制御手段と、
前記蓋部の開閉状態を検出する開閉状態検出手段とを備え、
前記発光制御手段は、前記開閉検出手段で前記蓋部が開いていることを検出すると、発光するように前記発光手段を制御することを特徴とする電子機器。
【発明の詳細な説明】
【技術分野】
【０００１】
本発明は、被写体像の撮影機能と、画像の投影機能とを備えた電子機器に関する。
【背景技術】
【０００２】
被写体像の撮影機能と、画像の投影機能とを備えた電子機器として、プロジェクタを備えたカメラが知られている（たとえば、特許文献１参照）。プロジェクタはカメラ本体に組み込まれており、プロジェクタ用の投影光学系を用いて画像をスクリーンに投影するように構成されている。
【０００３】
【特許文献１】特開２００５−２５０３９２号公報
【発明の開示】
【発明が解決しようとする課題】
【０００４】
カメラに装着されたメモリカードなどの記録媒体から画像データを読み込んで画像を投影している場合に、他の記録媒体に記録されている画像を再生して投影したいと考えることがある。
【課題を解決するための手段】
【０００５】
（１）  請求項１の発明による電子機器は、被写体像を撮像する撮像手段と、画像を投影する投影手段と、記録媒体を着脱可能に保持して、記録媒体に記録された画像のデータを読み込む画像データ読込手段と、投影手段で投影される画像について制御する投影画像制御手段とを備え、投影画像制御手段は、投影手段から画像を投影しているときに記録媒体が画像データ読込手段から離脱したと判断すると、記録媒体が画像データ読込手段から離脱したと判断するまで投影手段が投影していた画像を継続して投影するよう投影手段を制御することを特徴とする。
（２）  請求項２の発明は、請求項1に記載の電子機器において、投影手段から投影する画像のデータを一時的に記憶する画像データ一時記憶手段をさらに備え、投影画像制御手段は、投影手段から画像を投影しているときに記録媒体が画像データ読込手段から離脱したと判断すると、画像データ一時記憶手段から画像のデータを読み込んで、読み込んだ画像のデータに基づいて画像を投影するよう投影手段を制御することを特徴とする。
（３）  請求項３の発明による電子機器は、被写体像を撮像する撮像手段と、画像を投影する投影手段と、記録媒体を着脱可能に保持して、記録媒体に記録された画像のデータを読み込む画像データ読込手段と、画像データ読込手段に着脱される記録媒体の装着部分を覆う開閉可能な蓋部と、蓋部近傍に設けられて、記録媒体に対するデータアクセス状態を光によって報知する発光手段と、発光手段の発光状態を制御する発光制御手段と、蓋部の開閉状態を検出する開閉状態検出手段とを備え、発光制御手段は、開閉検出手段で蓋部が開いていることを検出すると、発光するように発光手段を制御することを特徴とする。
【発明の効果】
【０００６】
（１）  請求項１に記載の発明によれば、画像の投影中に記録媒体が取り出されても、画像の投影が継続されるので、投影画像の急激な輝度変化が生じず、投影画像の鑑賞者に違和感を与えることがない。
（２）  請求項３に記載の発明によれば、周囲が暗いときでも、記録媒体着脱のために蓋部を開けると発光手段が発光して蓋部周囲を照らすので、記録媒体の着脱が容易となる。
【発明を実施するための最良の形態】
【０００７】
図１〜７を参照して、本発明による電子機器をカメラに適用した一実施の形態を説明する。図1は、本発明を適用した電子カメラ１の外観を示す図であり、図１（ａ），（ｂ），（ｃ）は、それぞれ電子カメラ１を正面、上面、背面から見た図である。図２は（ａ），（ｂ）は、電子カメラ１の底面の一部を見た斜視図である。電子カメラ１のボディ１０の正面には、撮影レンズ用の窓部１０１と、被写体に光を照射する発光部１０２と、画像を投影するプロジェクタのプロジェクタ投射窓１０３とが設けられている。電子カメラ１の上面には、レリーズボタン１０４、および、メインスイッチボタン１０５が設けられている。
【０００８】
ボディ１０の背面には、液晶表示器１０７、および操作部材２１が設けられている。操作部材２１は、ズームボタン２１０、モードボタン２１１、カメラ／プロジェクタ切替ボタン２１２、メニューボタン２１３、削除ボタン２１４、ロータリーセレクタ２１５、OKボタン２１６、および再生ボタン２１７などを含む。操作部材２１は、後述するカメラモードにおいて操作されるとともに、投影モードにおいて操作されるものが含まれている。電子カメラ１の撮像光学系は、窓部１０１から入射した被写体光束を高さ方向に屈折させる屈折光学系として構成されている。
【０００９】
図２は（ａ），（ｂ）に示すように、ボディ１０の底面には開閉可能な蓋１０ｃが設けられている。蓋１０ｃの内側には、電子カメラ１に対して着脱可能な記録媒体であるメモリカード１１０を装着する装着部１０９ａが設けられている。蓋１０ｃを開けた後に現れる電子カメラ１の下側の面には、装着部１０９ａの近傍に、ＬＥＤ窓１２３が設けられている。ＬＥＤ窓１２３は、後述するＬＥＤ（後述する図３のＬＥＤ１２１）の光を外部から視認可能に導光する部材である。なお、蓋１０ｃには蓋１０ｃを上下方向に貫通する開口１２２が設けられている。開口１２２は、蓋１０ｃを閉めた際に、ＬＥＤ窓１２３の真下に位置するように設けられている。そのため、蓋１０ｃを閉めても、ＬＥＤ１２１の発する光を外部から視認可能である。
【００１０】
レリーズボタン１０４は、レリーズ操作を行うための操作ボタンである。メインスイッチボタン１０５は、電子カメラ１の電源をオン／オフするための操作ボタンである。液晶表示器１０７は、撮像して得られた画像や各種のメニュー画面を表示する表示モニタとして働くほか、撮像時に、被写体の画像（スルー画）を表示する電子ファインダとして働く。なお、スルー画は、本撮影の前段階として後述する撮像素子で繰り返し取得される予備撮影画像である。
【００１１】
ズームボタン２１０は、撮像光学系の焦点距離の変更操作や、プロジェクタとして投影する画像の拡大縮小操作（ズーム操作）を行うための操作ボタンであり、左右端の押圧操作が可能である。モードボタン２１１は、被写体像を撮像する撮影モードと、撮像して得た画像を液晶表示器１０７に表示させる再生モードとを切り替えるための操作ボタンである。切替ボタン２１２は、撮影モードまたは再生モードで動作中の電子カメラ１を、画像を投影する投影モードに切り替えるための操作ボタンである。
【００１２】
メニューボタン２１３は、電子カメラ１の各種機能を選択、設定、調節するための各メニュー画面などを液晶表示器１０７に表示させる際に操作される操作ボタンである。削除ボタン２１４は、撮像して得た画像を消去する際に操作される操作ボタン（消去ボタン）である。ロータリーセレクタ２１５は、時計方向および反時計方向に回動可能に構成された操作部材であり、たとえば、液晶表示器１０７に表示された項目の中から選択する項目を順次変更するためなどに用いられるものである。
【００１３】
OKボタン２１６は、たとえば、ロータリーセレクタ２１５による選択操作で選択された項目を確定する際に操作される操作ボタンである。再生ボタン２１７は、撮像して得た画像を再生する際に操作される操作ボタンである。カメラ／プロジェクタ切替ボタン２１２および再生ボタン２１７が押圧された際の電子カメラ１の動作については後に詳述する。
【００１４】
図３は、電子カメラ１のブロック図である。電子カメラ１は、プロジェクタ部３０、撮像部４０、制御回路５０、メモリ６０、液晶表示器１０７、メモリカードインタフェース１０９、ＬＥＤ１２１、および蓋開閉検出スイッチ１３１を有する。また電子カメラ１は、半押しスイッチ１０４ａ、全押しスイッチ１０４ｂ、メインスイッチ１０５ａ、右ズームスイッチ２１０ａ、左ズームスイッチ２１０ｂ、モードスイッチ２１１ａ、切替スイッチ２１２ａ、メニュースイッチ２１３ａ、削除スイッチ２１４ａ、ロータリースイッチ２１５ａ、ＯＫスイッチ２１６ａ、および再生スイッチ２１７ａを有する。
【００１５】
制御回路５０は、制御プログラムに基づいて、電子カメラ１を構成する各部から入力される信号を用いて所定の演算を行なうなどして、電子カメラ１の各部に対する制御信号を送出して、撮影動作および投影動作の制御を行なう。なお、制御プログラムは制御回路５０内の不図示の不揮発性メモリに格納されている。
【００１６】
メモリ６０は、制御プログラムを格納するＲＯＭ、制御回路５０の作業エリアのＲＡＭ、および、各種設定値などを記憶する不揮発メモリを含むメモリである。
【００１７】
メモリカードインタフェース１０９は、メモリカード１１０が着脱可能なインタフェースであり、メモリカード１１０を着脱可能に保持する装着部１０９ａを有する。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００１８】
ＬＥＤ１２１は、装着部１０９ａの近傍に設けられた発光ダイオードであり、メモリカード１１０にデータを記録し、またはメモリカード１１０からデータを読み込んでいるときに点灯する、いわゆるアクセスランプである。ＬＥＤ１２１は、制御回路５０によって点灯状態が制御される。蓋開閉検出スイッチ１３１は、蓋１０ｃの開閉状態を検出するスイッチであり、蓋１０ｃが開いたことを検出すると蓋開検出信号を制御回路５０に出力する。
【００１９】
半押しスイッチ１０４ａは、レリーズボタン１０４が半押し操作されるとオン信号を制御回路５０へ出力する。全押しスイッチ１０４ｂは、レリーズボタン１０４が全押し操作されるとオン信号を制御回路５０へ出力する。右ズームスイッチ２１０ａは、ズームボタン２１０の右側端部が押圧操作されると操作信号を制御回路５０へ出力する。左ズームスイッチ２１０ｂは、ズームボタン２１０の左側端部が押圧操作されると操作信号を制御回路５０へ出力する。
【００２０】
ロータリースイッチ２１５ａは、ロータリーセレクタ２１５の回転方向および回転量に応じた操作信号を制御回路５０へ出力する。メインスイッチ１０５ａ、モードスイッチ２１１ａ、および切替スイッチ２１２ａは、メインスイッチボタン１０５、モードボタン２１１、およびカメラ／プロジェクタ切替ボタン２１２が押圧操作されると操作信号をそれぞれ制御回路５０へ出力する。メニュースイッチ２１３ａ、削除スイッチ２１４ａ、ＯＫスイッチ２１６ａ、および再生スイッチ２１７ａは、メニューボタン２１３、削除ボタン２１４、OKボタン２１、および再生ボタン２１７が押圧操作されると操作信号をそれぞれ制御回路５０へ出力する。
【００２１】
−−−撮像部４０−−−
撮像部４０は、撮影レンズ４０１、撮像素子（イメージセンサ）４０２、レンズ駆動回路４０３、および撮影制御回路４０４を含む。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００２２】
撮影レンズ４０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００２３】
レンズ駆動回路４０３は、撮影制御回路４０４から出力されるズーム調節信号に基づいて、撮影レンズ４０１を構成するズームレンズ（不図示）を光軸方向（テレ側もしくはワイド側）へ進退駆動する。
【００２４】
−−−プロジェクタ部３０−−−
図３、図４を参照して、プロジェクタ部３０について説明する。図３のブロック図、および図４のプロジェクタ部３０の構成図に示すように、プロジェクタ部３０は、レンズ駆動回路３００、投影光学系３０１、液晶パネル３０２、ＬＥＤ光源３０３、集光光学系３０４、ＰＢＳ（偏光ビームスプリッタ）ブロック３０５、投射制御回路３０６、ＶＲＡＭ３０６ａ、および屈曲プリズム３０７を備える。液晶パネル３０２は、投射制御回路３０６からの駆動信号に応じて光像を生成する。なお、本実施の形態では、液晶パネル３０２として図４に示すように反射型の液晶パネルを使用する。投射制御回路３０６は、制御回路５０から出力される投影指令に応じてＬＥＤ光源３０３および液晶パネル３０２を制御する。ＶＲＡＭ３０６ａは、液晶パネル３０２に表示する画像を一時的に記憶するメモリである。
【００２５】
ＬＥＤ光源３０３は、白色光を射出する白色ＬＥＤであり、投射制御回路３０６を介して入力した制御回路５０の投影指令に基づいて、図４に示す光軸Ｌ１に沿って白色光を射出する。集光光学系３０４は、ＬＥＤ光源３０３から射出されて入射した白色光をほぼ平行光にしてＰＢＳブロック３０５へ向けて射出する光学系である。ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の面３０５ｂには、たとえば、黒色処理などの無反射処理が施される。ＰＢＳブロック３０５の図示右側面には反射型液晶素子（ＬＣＯＳ）によって構成される液晶パネル３０２が配設される。液晶パネル３０２は、赤、緑、青のフィルターが形成された複数の画素から構成され、カラーの画像を生成するように投射制御回路３０６により駆動される。
【００２６】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶パネル３０２へ入射されると液晶層を図示右向きに進行し、液晶パネル３０２の反射面で反射された後、液晶層を図示左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。ＰＢＳブロック３０５は、再入射された光束のうちＳ偏光成分である変調光のみを偏光分離部３０５ａで光軸Ｌ２に沿った方向へ反射（折り曲げる）し、上方の投影光学系３０１へ向けて射出する。
【００２７】
投影光学系３０１は、液晶パネル３０２から射出される光像を屈曲プリズム３０７へ導く。図３のレンズ駆動回路３００は、投射制御回路３０６から出力されるフォーカス調節信号に基づいて、投影光学系３０１を構成するフォーカスレンズを光軸Ｌ２方向へ進退駆動する。レンズ駆動回路３００はさらに、投射制御回路３０６から出力されるズーム調節信号に基づいて、投影光学系３０１を構成するズームレンズを光軸Ｌ２方向へ進退駆動する。屈曲プリズム３０６は投影光学系３０１から入射した投影光を光軸Ｌ３の方向へ偏向してプロジェクタ投射窓１０３から投影画像をボディ１０の正面に向けて投影する（図４）。
【００２８】
電子カメラ１には、上述したプロジェクタ装置（プロジェクタ部）３０が搭載されている。この電子カメラ１は正面に配設されるスクリーンなどに向けて、画像などの情報をプロジェクタ投射窓１０３から投影する。そのため、電子カメラ１は、プロジェクタ部３０により画像を投影するための投影モードと、撮像部４０により被写体像を撮像（撮影）するための撮影モード（カメラモード）とを動作モードとして有する。また電子カメラ１は、撮像して得た画像を液晶表示器１０７に表示させる再生モードと、画像をプロジェクタ部３０から投影するとともに液晶表示器１０７にも表示させる再生＋投影モードとを動作モードとして有する。
【００２９】
−−−電子カメラ１の動作説明−−−
次に、図５〜７を参照して、投影モードに移行する際、および投影モードに移行後の動作を中心に、電子カメラ１の動作を説明する。図５〜７は、液晶表示器１０７の表示内容、および、プロジェクタ部３０から投影される画像の内容の遷移状態を示す図である。電子カメラ１の電源がオフされているときに、所定時間以上メインスイッチボタン１０５が押圧されると、電子カメラ１の電源がオンとなり、電子カメラ１がカメラモードで起動する。すなわち、制御回路５０は、電子カメラ１の電源がオフされているときに、所定時間以上メインスイッチ１０５ａからの操作信号を連続して受信すると、電子カメラ１の電源をオンとして、カメラモードで起動するよう各部を制御する。
【００３０】
カメラモードで動作中にカメラ／プロジェクタ切替ボタン２１２が押圧されると、図５（ａ）に示すように、液晶表示器１０７には、再生モードに移行するのか、投影モードに移行するのか、再生＋投影モードに移行するのかを問い合わせ画面１０７ａが表示される。また、この時点では、プロジェクタ部３０から画像は投影されない。
【００３１】
すなわち、制御回路５０は、カメラモードに設定されているときに、切替スイッチ２１２ａからの操作信号を受信すると、図５（ａ）に示した問い合わせ画面１０７ａを表示するよう、液晶表示器１０７を制御する。
【００３２】
ユーザは、ロータリーセレクタ２１５を操作することで、液晶表示器１０７に表示されている問い合わせ画面１０７ａ上で、再生モードへの移行を指示する「再生モード」か、投影モードへの移行を指示する「投影モード」か、再生＋投影モードへの移行を指示する「再生＋投影モード」のいずれかを選択することができる。
【００３３】
ロータリーセレクタ２１５の回転操作によって「再生モード」が選択されて、ＯＫボタン２１６が押圧されると、電子カメラ１の動作モードは、再生モードへ移行する。すなわち、制御回路５０は、図５（ａ）の問い合わせ画面１０７ａにおける「再生モード」が選択されているときにＯＫスイッチ２１６ａからの操作信号を受信すると、再生モードへ移行するよう各部を制御する。なお、再生モードにおける電子カメラ１の動作については公知であるので説明を省略する。
【００３４】
−−−投影モード−−−
ロータリーセレクタ２１５の回転操作によって図５（ａ）に示した問い合わせ画面１０７ａ上の「投影モード」が選択されて、ＯＫボタン２１６が押圧されると、電子カメラ１の動作モードは、投影モードへ移行する。投影モードに移行すると、液晶表示器１０７には、図５（ｂ）に示すように、メモリカード１１０に記録されている画像をすべて投影するのか、選択した画像だけを投影するのかを問い合わせる問い合わせ画面１０７ｂが表示される。また、プロジェクタ部３０からは壁紙としてあらかじめ設定されている画像が投影される。
【００３５】
すなわち、制御回路５０は、図５（ａ）の問い合わせ画面１０７ａにおける「投影モード」が選択されているときにＯＫスイッチ２１６ａからの操作信号を受信すると、投影モードへ移行するよう各部を制御する。そして、制御回路５０は、図５（ｂ）に示す問い合わせ画面１０７ｂを液晶表示器１０７に表示するよう制御する。また、制御回路５０は、壁紙用の画像のデータをメモリ６０から読み込んで再生し、再生した画像を投影するようにプロジェクタ部３０を制御する。投射制御回路３０６は、再生された壁紙の画像を投影するよう各部を制御する。
【００３６】
ロータリーセレクタ２１５の回転操作によって図５（ｂ）に示した問い合わせ画面１０７ｂ上の「すべての画像」が選択されて、ＯＫボタン２１６が押圧されると、液晶表示器１０７には、図５（ｃ）に示すように、メモリカード１１０に記録されている画像データのサムネイル画像がサムネイル一覧画面１０７ｃとして液晶表示器１０７に一覧表示される。この段階では、プロジェクタ部３０からは壁紙としてあらかじめ設定されている画像が投影される。
【００３７】
すなわち、制御回路５０は、図５（ｂ）の問い合わせ画面１０７ｂにおける「すべての画像」が選択されているときにＯＫスイッチ２１６ａからの操作信号を受信すると、メモリカード１１０に記録されている画像データからサムネイル画像のデータを読み込んで、サムネイル画像を液晶表示器１０７に一覧表示するよう各部を制御する。
【００３８】
ユーザによるロータリーセレクタ２１５の回転操作によって、図５（ｃ）に示すサムネイル一覧画面１０７ｃの中から、図５（ｄ）に示すように投影すべき画像のサムネイルが選択されてＯＫボタン２１６が押圧されると、選択されたサムネイルに対応する画像がプロジェクタ部３０から投影される。
【００３９】
すなわち、制御回路５０は、サムネイル一覧画面１０７ｃ上で任意のサムネイル画像が選択されているときにＯＫスイッチ２１６ａからの操作信号を受信すると、サムネイル一覧画面１０７ｃ上で選択されているサムネイル画像に対応する画像データをメモリカード１１０から読み込んで再生し、再生した画像を投影するようにプロジェクタ部３０を制御する。投射制御回路３０６は、再生された画像を投影するよう各部を制御する。
【００４０】
ロータリーセレクタ２１５の回転操作によって図５（ｂ）に示した問い合わせ画面１０７ｂ上の「選択画像のみ」が選択されて、ＯＫボタン２１６が押圧されると、液晶表示器１０７には、図６（ａ）に示すように、メモリカード１１０に記録されている画像データのサムネイル画像がサムネイル一覧画面１０７ｅとして液晶表示器１０７に一覧表示される。この段階では、プロジェクタ部３０からは壁紙としてあらかじめ設定されている画像が投影される。
【００４１】
すなわち、制御回路５０は、図５（ｂ）の問い合わせ画面１０７ｂにおける「選択画像のみ」が選択されているときにＯＫスイッチ２１６ａからの操作信号を受信すると、メモリカード１１０に記録されている画像データからサムネイル画像のデータを読み込んで、サムネイル画像を液晶表示器１０７に一覧表示するよう各部を制御する。
【００４２】
ユーザによるロータリーセレクタ２１５の回転操作によって、図６（ａ）に示すサムネイル一覧画面１０７ｅの中から、投影すべき画像のサムネイルが選択されてＯＫボタン２１６が押圧されると、図６（ｂ）の画像１０７ｆに示すように、選択されたサムネイル画像が、投影すべき画像の候補として選択される。この段階では、プロジェクタ部３０からは壁紙としてあらかじめ設定されている画像が投影される。なお、図６（ｂ）において、投影画像の候補のサムネイル画像には、説明便宜上、投影画像の候補であることを示すマークを星印で付して表示しているが、実際には画像の投影を想起させるようなマークを付すことが望ましい。
【００４３】
すなわち、制御回路５０は、サムネイル一覧画面１０７ｅ上で任意のサムネイル画像が選択されているときにＯＫスイッチ２１６ａからの操作信号を受信すると、サムネイル一覧画面１０７ｅ上で選択されているサムネイル画像に対応する画像を投影画像の候補として選択する。
【００４４】
図６（ｂ）に示すようにサムネイル一覧画面１０７ｆの中から、投影すべき画像のサムネイルを選択しているときに、たとえば、ＯＫボタン２１６が所定時間以内に２回連続で押圧されると、投影すべき画像の選択処理が終了されて、図６（ｃ）に示すように、選択した画像を投影するか否かを問い合わせる問い合わせ画面１０７ｇが液晶表示器１０７に表示される。この段階では、プロジェクタ部３０からは壁紙としてあらかじめ設定されている画像が投影される。
【００４５】
すなわち、制御回路５０は、サムネイル一覧画面１０７ｅ（１０７ｆ）上で任意のサムネイル画像が選択されているときにＯＫスイッチ２１６ａからの操作信号を所定時間以内に２回連続して受信すると、投影画像の候補選択処理を終了するとともに、図６（ｃ）に示した問い合わせ画面１０７ｇを液晶表示器１０７に表示するよう各部を制御する。
【００４６】
ユーザによるロータリーセレクタ２１５の回転操作によって、図６（ｃ）に示す問い合わせ画面１０７ｇの中から、「はい」が選択されてＯＫボタン２１６が押圧されると、図６（ｄ）に示すように、投影画像の候補についてのサムネイル一覧画面１０７ｈが液晶表示器１０７に表示される。なお、サムネイル一覧画面１０７ｈでは、投影画像の候補以外のサムネイル画像については、たとえばハーフトーン表示されるなど、投影画像の候補についてのサムネイル画像とは異なる表示形態で表示される。そして、プロジェクタ部３０からは、投影画像の候補のうち、ファイル作成日時が最も新しい画像が自動的に投影される。なお、液晶表示器１０７には、投影されている画像に対応するサムネイル画像が強調表示される。
【００４７】
ユーザによるロータリーセレクタ２１５の回転操作によって、サムネイル一覧画面１０７ｈの中から、投影画像の候補についてのサムネイル画像のみが選択可能である。ユーザによるロータリーセレクタ２１５の回転操作によって、サムネイル一覧画面１０７ｈの中から、投影画像の候補についてのサムネイル画像が任意に選択されて、ＯＫボタン２１６が押圧されると、当該選択されたサムネイル画像についての画像データがメモリカード１１０から読み込まれて、画像がプロジェクタ部３０から投影される（図６（ｄ））。
【００４８】
すなわち、制御回路５０は、図６（ｃ）に示す問い合わせ画面１０７ｇ上で「はい」が選択されているときにＯＫスイッチ２１６ａからの操作信号を受信すると、図６（ｄ）に示すサムネイル一覧画面１０７ｈを液晶表示器１０７に表示するよう各部を制御する。そして、制御回路５０は、投影画像の候補の中から、ファイル作成日時が最も新しい画像をメモリカード１１０から読み込んで再生し、再生した画像を投影するようにプロジェクタ部３０を制御する。投射制御回路３０６は、再生された画像を投影するよう各部を制御する。
【００４９】
また、制御回路５０は、ロータリーセレクタ２１５の回転操作によって、サムネイル一覧画面１０７ｈ上で投影画像の候補についての任意のサムネイル画像が選択されているときにＯＫスイッチ２１６ａからの操作信号を受信すると、当該選択されていたサムネイル画像についての画像データがメモリカード１１０から読み込んで再生し、再生した画像を投影するようにプロジェクタ部３０を制御する。投射制御回路３０６は、再生された画像を投影するよう各部を制御する。
【００５０】
ユーザによるロータリーセレクタ２１５の回転操作によって、図６（ｃ）に示す問い合わせ画面１０７ｇの中から、「いいえ」が選択されてＯＫボタン２１６が押圧されると、図６（ｂ）に示す状態に戻り、投影すべき画像のサムネイルが再び選択可能となる。
【００５１】
すなわち、制御回路５０は、図６（ｃ）に示す問い合わせ画面１０７ｇ上で「いいえ」が選択されているときにＯＫスイッチ２１６ａからの操作信号を受信すると、図６（ｂ）に示すサムネイル一覧画面１０７ｃ上を液晶表示器１０７に表示し、投影すべき画像のサムネイルが選択可能となるよう各部を制御する。
【００５２】
−−−投影中にメモリカードが抜かれた場合−−−
本実施の形態の電子カメラ１では、画像の投影中に装着部１０９ａからメモリカード１１０が抜き出されても、メモリカード１１０が抜き出される直前まで投影していた画像を継続して投影するように構成されている。以下、メモリカード１１０が抜き出されてから、別のメモリカードが装着されて、このメモリカードに記録された画像が投影されるまでの間の、電子カメラ１の動作について説明する。
【００５３】
画像の投影中に蓋１０ｃが開けられて装着部１０９ａからメモリカード１１０が抜き出されると、液晶表示器１０７には、メモリカードが挿入されていない旨の警告画面１０７ｉが表示される。また、プロジェクタ部３０からは、メモリカード１１０が抜き出される直前まで投影していた画像が継続して投影される。
【００５４】
すなわち、制御回路５０は、装着部１０９ａからメモリカード１１０が抜き出されたことを示す信号をメモリカードインタフェース１０９から受信すると、メモリカードが挿入されていない旨の警告画面１０７ｉを表示するよう液晶表示器１０７を制御する。また、制御回路５０は、プロジェクタ部３０のＶＲＡＭ３０６ａに記憶されている画像を継続して液晶パネル３０２に表示するよう、プロジェクタ部３０を制御する。投射制御回路３０６は、ＶＲＡＭ３０６ａから読み込んだ画像を液晶パネル３０２に継続して表示して、画像を投影するよう各部を制御する。
【００５５】
装着部１０９ａに別のメモリカード１１０が装着されると、図７（ｂ）に示すように、新たに装着されたメモリカード１１０に記録されている画像をすべて投影するのか、選択した画像だけを投影するのかを問い合わせる問い合わせ画面１０７ｊが表示される。また、プロジェクタ部３０からはメモリカード１１０が抜き出される直前まで投影していた画像が継続して投影される。
【００５６】
すなわち、制御回路５０は、装着部１０９ａにメモリカード１１０が装着されたことを示す信号をメモリカードインタフェース１０９から受信すると、図７（ｂ）に示す問い合わせ画面１０７ｊを液晶表示器１０７に表示するよう制御する。
【００５７】
ロータリーセレクタ２１５の回転操作によって図７（ｂ）に示した問い合わせ画面１０７ｊ上の「すべての画像」が選択されて、ＯＫボタン２１６が押圧されると、電子カメラ１は、図５（ｃ）に示した状態と同じ状態に移行する。すなわち、液晶表示器１０７には、図５（ｃ）に示すように、メモリカード１１０に記録されている画像データのサムネイル画像がサムネイル一覧画面１０７ｃとして液晶表示器１０７に一覧表示される。なお、上述した説明とは異なり、この段階では、メモリカード１１０が抜き出される直前まで投影していた画像が継続して投影される。
【００５８】
すなわち、制御回路５０は、図７（ｂ）の問い合わせ画面１０７ｊにおける「すべての画像」が選択されているときにＯＫスイッチ２１６ａからの操作信号を受信すると、メモリカード１１０に記録されている画像データからサムネイル画像のデータを読み込んで、サムネイル画像を液晶表示器１０７に一覧表示するよう各部を制御する。
【００５９】
なお、以降の電子カメラ１の動作については、図５（ｃ）を参照して説明したとおりの動作となる。ただし、投影される画像が選択されるまでは、上述した説明における壁紙の投影に代えて、メモリカード１１０が抜き出される直前まで投影していた画像が継続して投影されることになる。
【００６０】
ロータリーセレクタ２１５の回転操作によって図７（ｂ）に示した問い合わせ画面１０７ｊ上の「選択画像のみ」が選択されて、ＯＫボタン２１６が押圧されると、電子カメラ１は、図６（ａ）に示した状態と同じ状態に移行する。すなわち、液晶表示器１０７には、図６（ａ）に示すように、メモリカード１１０に記録されている画像データのサムネイル画像がサムネイル一覧画面１０７ｅとして液晶表示器１０７に一覧表示される。なお、上述した説明とは異なり、この段階では、メモリカード１１０が抜き出される直前まで投影していた画像が継続して投影される。
【００６１】
すなわち、制御回路５０は、図７（ｂ）の問い合わせ画面１０７ｊにおける「選択画像のみ」が選択されているときにＯＫスイッチ２１６ａからの操作信号を受信すると、メモリカード１１０に記録されている画像データからサムネイル画像のデータを読み込んで、サムネイル画像を液晶表示器１０７に一覧表示するよう各部を制御する。
【００６２】
なお、以降の電子カメラ１の動作については、図６（ａ）を参照して説明したとおりの動作となる。ただし、投影される画像が選択されるまでは、上述した説明における壁紙の投影に代えて、メモリカード１１０が抜き出される直前まで投影していた画像が継続して投影されることになる。
【００６３】
−−−ＬＥＤ１２１について−−−
上述したように、電子カメラ１では、装着されているメモリカードを画像の投影中に交換できる。一般的には画像を投影する際の周囲の明るさは暗いことが多いため、本実施の形態の電子カメラ１では、蓋１０ｃを開けるとＬＥＤ１２１が点灯して、装着部１０９ａの近傍を照らし出すように構成されている。このように、電子カメラ１では、ＬＥＤ１２１を、メモリカード１１０へのデータアクセス状態を表示するアクセスランプ、および、装着部１０９ａの近傍を照らす照明用ランプとして利用している。
【００６４】
すなわち、制御回路５０は、蓋開閉検出スイッチ１３１からの蓋開検出信号を受信すると、ＬＥＤ１２１を点灯させる。また、制御回路５０は、蓋開閉検出スイッチ１３１からの蓋開検出信号を受信しなくなると、ＬＥＤ１２１を消灯させる。なお、制御回路５０は、メモリカード１１０へのデータの書き込みや、メモリカード１１０からのデータの読み込みを行う際にもＬＥＤ１２１を点灯させる。
【００６５】
上述した電子カメラ１では、次の作用効果を奏する。
（１）  画像の投影中に蓋１０ｃが開けられて装着部１０９ａからメモリカード１１０が抜き出されても、プロジェクタ部３０からは、メモリカード１１０が抜き出される直前まで投影していた画像が継続して投影されるように構成した。これにより、メモリカード１１０の抜き出しによって投影画像が変化しないので、投影画像の急激な輝度変化が生じず、投影画像の鑑賞者に違和感を与えることがない。
【００６６】
（２）  画像の投影中に蓋１０ｃが開けられて装着部１０９ａからメモリカード１１０が抜き出されると、液晶表示器１０７には、メモリカードが挿入されていない旨の警告画面１０７ｉが表示されるように構成した。これにより、たとえば、メモリカード１１０を抜き出したユーザとは別の操作者が電子カメラ１を操作しようとしても、メモリカード１１０が装着されていないことが一目で分かるので、利便性が高い。
【００６７】
（３）  新たなメモリカード１１０が装着された後、液晶表示器１０７には、図７（ｂ）に示すように、メモリカード１１０に記録されている画像をすべて投影するのか、選択した画像だけを投影するのかを問い合わせる問い合わせ画面１０７ｊが表示されるように構成した。これにより、投影画像を選択するというユーザの意志を反映できる。また、問い合わせ画面１０７ｊにおいて、すべての画像を投影するのか否かを問い合わせることで、ユーザの予期せぬ画像が投影されることを防止でき、予期せぬ画像を投影したくないと考えるユーザの意に沿う動作を実現できる。
【００６８】
（４）  装着部１０９ａからメモリカード１１０が抜き出されたことを示す信号をメモリカードインタフェース１０９から受信すると、プロジェクタ部３０のＶＲＡＭ３０６ａに記憶されている画像を継続して液晶パネル３０２に表示するよう、制御回路５０がプロジェクタ部３０を制御するように構成した。これにより、特に他のメモリ（たとえばメモリ６０）に画像データを一時的に記憶させておく必要がなく、制御回路５０の処理の負担を低減できるので、制御回路５０によって制御される動作の速度を低下させることがない。また、たとえばメモリ６０の記憶領域を使用しないので、メモリ６０の容量を必要以上に大きくしなくてもよく、コスト増を抑制できる。
【００６９】
（５）  蓋１０ｃを開いたときにＬＥＤ１２１が点灯するように構成したので、周囲が暗い環境下でも、メモリカード１１０の着脱操作が容易となる。また、ＬＥＤ１２１を、メモリカード１１０へのアクセス状態を表示するアクセスランプ、および、装着部１０９ａの近傍を照らす照明用ランプとして利用しているので、ＬＥＤの数を減らすことができ、コスト増を抑制できる。
【００７０】
−−−変形例−−−
（１）  上述の説明では、装着部１０９ａからメモリカード１１０が抜き出されたことを示す信号をメモリカードインタフェース１０９から受信すると、プロジェクタ部３０のＶＲＡＭ３０６ａに記憶されている画像を継続して液晶パネル３０２に表示するように構成しているが、本発明はこれに限定されない。たとえば、投影する画像のデータをメモリ６０で一時的に記憶させるように構成してもよい。そして、装着部１０９ａからメモリカード１１０が抜き出されたことを示す信号をメモリカードインタフェース１０９から受信すると、メモリ６０で一時的に記憶されている画像データを読み込んで再生して、液晶パネル３０２に表示するよう、制御回路５０がプロジェクタ部３０を制御するように構成してもよい。このように構成した場合には、いわゆる電子ズームによって投影される画像を拡大しても、ＶＲＡＭ３０６ａに記憶されている画像を電子ズームで拡大した場合と比べて、投影される画像が粗くならないので、投影画像の観察者に違和感を与えない。
【００７１】
（２）  上述の説明では、画像の投影中に装着部１０９ａからメモリカード１１０が抜き出されても、プロジェクタ部３０からは、メモリカード１１０が抜き出される直前まで投影していた画像が継続して投影されるように構成したが、本発明はこれに限定されない。たとえば、画像の投影中に蓋１０ｃが開けられて装着部１０９ａからメモリカード１１０が抜き出された際に、あらかじめ記憶されている壁紙をプロジェクタ部３０から投影するようにしてもよい。また、色彩やトーンなどが異なる複数の壁紙をあらかじめ記憶しておき、装着部１０９ａからメモリカード１１０が抜き出された際に、メモリカード１１０が抜き出される直前まで投影していた画像と色彩やトーンが似通っている壁紙を自動的に選択して投影するように構成してもよく、上述した作用効果と同様の作用効果を奏する。
【００７２】
（３）  上述の説明では、蓋１０ｃの開閉を蓋開閉検出スイッチ１３１で検出して、蓋１０ｃを開いたときにＬＥＤ１２１が点灯するように構成したが、本発明はこれに限定されない。たとえば、蓋開閉検出スイッチ１３１を廃し、電子カメラ１が投影モードで動作中にＬＥＤ１２１を常時点灯させるように構成してもよい。そして、メモリカード１１０へのアクセスがあったときには、ＬＥＤ１２１の発光色を変更するように構成してもよい。これにより、蓋開閉検出スイッチ１３１が不要となり、コストダウンできる。またこの場合には、蓋１０ｃ自体を廃してもよい。
【００７３】
（４）  上述の説明では、電子カメラ１の底面からメモリカード１１０を着脱するように構成しているが、本発明はこれに限定されず、たとえば、電子カメラ１の上面、側面、前面、背面のいずれかからメモリカード１１０を着脱するように構成してもよい。
【００７４】
（５）  上述の説明では、装着部１０９ａにメモリカード１１０が装着されると、図７（ｂ）に示す問い合わせ画面１０７ｊが表示されるように構成しているが、本発明はこれに限定されない。たとえば、装着部１０９ａにメモリカード１１０が装着されると、図７（ｂ）に示す問い合わせ画面１０７ｊを表示することなく、図７（ｂ）に示す問い合わせ画面１０７ｊ上の「すべての画像」が選択されて、ＯＫボタン２１６が押圧された場合と同様に、図５（ｃ）に示した状態と同じ状態に移行するように構成してもよい。
【００７５】
（６）  上述の説明では、装着部１０９ａにメモリカード１１０が装着されると、図７（ｂ）に示す問い合わせ画面１０７ｊが液晶表示器１０７に表示されるように構成しているが、本発明はこれに限定されない。たとえば、省電力のために液晶表示器１０７の表示が中止されている場合には、装着部１０９ａにメモリカード１１０が装着されても、液晶表示器１０７の表示が中止されたままとなるように構成してもよい。
【００７６】
（７）  上述の説明では、画像の投影中に装着部１０９ａからメモリカード１１０が抜き出されても、プロジェクタ部３０からは、メモリカード１１０が抜き出される直前まで投影していた画像が継続して投影されるように構成したが、本発明はこれに限定されない。たとえば、画像の投影中に装着部１０９ａからメモリカード１１０が抜き出されると、メモリカード１１０が抜き出される直前まで投影していた画像とともに、メモリカード１１０が挿入されていない旨の表示をあわせて投影するようにしてもよい。
【００７７】
（８）  たとえば、新たに装着されたメモリカード１１０に記憶された画像データに対して、投影を許可するか否かのフラグが付されている場合には、当該フラグの有無を検出して、当該フラグの付された画像データのみについてサムネイル画像を読み込んで、液晶表示器１０７に一覧表示するように構成してもよい。そして、当該サムネイル画像の一覧表示とともに、投影してもよいかどうかの問い合わせを行うように構成してもよい。
【００７８】
（９）  上述の説明では、被写体像の撮影機能と、画像の投影機能とを有する電子機器の一例として電子カメラ１について説明したが、本発明は、電子カメラに限定されない。たとえば、被写体像の撮影機能と、画像の投影機能とを有する携帯可能なテレビや、画像再生装置、携帯電話機、ＰＤＡ、ノートＰＣなど各種の電子機器に適用可能である。
（１０）  上述した各実施の形態および変形例は、それぞれ組み合わせてもよい。
【図面の簡単な説明】
【００７９】
【図１】電子カメラ１の外観図である。
【図２】電子カメラ１の底面の斜視図である。
【図３】電子カメラ１のブロック図である。
【図４】プロジェクタ部３０の構成図である。
【図５】液晶表示器１０７の表示内容、および、プロジェクタ部３０から投影される画像の内容の遷移状態を示す図である。
【図６】液晶表示器１０７の表示内容、および、プロジェクタ部３０から投影される画像の内容の遷移状態を示す図である。
【図７】液晶表示器１０７の表示内容、および、プロジェクタ部３０から投影される画像の内容の遷移状態を示す図である。
【符号の説明】
【００８０】
１  電子カメラ                    １０  ボディ
１０ｃ  蓋                        ３０  プロジェクタ装置（プロジェクタ部）
４０  撮像部                      ５０  制御回路
６０  メモリ                      １０７  液晶表示器
１１０  メモリカード              １２１  ＬＥＤ
１３１  蓋開閉検出スイッチ        ３０６ａ  ＶＲＡＭ
【図１】
2008250138.tif 000003
【図２】
2008250138.tif 000004
【図３】
2008250138.tif 000005
【図４】
2008250138.tif 000006
【図５】
2008250138.tif 000007
【図６】
2008250138.tif 000008
【図７】
2008250138.tif 000009